(57)【要約】調節自在の宝飾組立体（１０）は、解放可能なクランプ装置（１００）とクランプ装置に解放自在に固定されたネックレスまたはブレスレットの鎖のような細長い可撓性部材（２０）とより成る。細長い可撓性部材（２０）は、クランプ装置の一方の部分にループ部分（２１）を、また他方の側に一対の脚部（２２、２３）を形成する。クランプ装置は、キャップ（１２０、１３０）と、キャップに摺動自在に装着されるインサート（１１０）とを有する。脚部（２２、２３）は、キャップ及びインサートの開口（１０２ａ、１０２ｂ、１０３ｃ、１０３ａ、１０３ｂ、１０３ｃ）を貫通する。インサートと各キャップとの間には、キャップをインサートから離れる方向に偏倚するための偏倚部材（１４０、１５０）が設けられている。休止状態において、開口は不整列であるため、せん断力が脚部に印加され、これにより脚部（２２、２３）がクランプ装置（１００）に関して摺動しないように固定される。円筒状カバー部材（２０２）をインサート（１１０）及びキャップの一部にかぶせるようにしてもよい。
2004520894.tif 000002
【特許請求の範囲】
【請求項１】
クランプ装置、
第１の脚部と、第１の脚部から延びるループ部分とを有する細長い可撓性部材、
可撓性部材のループ部分の上に摺動自在に取り付けられた装飾部材、及び
円筒状カバー部材より成り、
クランプ装置は、
（ａ）両端部と第１の貫通孔とを有するインサートと、
（ｂ）インサートの少なくとも一方の端部の上に摺動自在に配置され、第１の貫通孔と整列させる第１の開口を有するキャップと、
（ｃ）キャップとインサートの少なくとも一方の端部との間に位置する偏倚部材とより成り、
第１の脚部は第１の開口と第１の貫通孔とを貫通し、第１の開口と第１の貫通孔とが偏倚部材の偏倚力により不整列になると、クランプ装置と細長い可撓性部材の第１の脚部とが相対移動できず、キャップとインサートとを偏倚力に抗して互いに移動させて第１の開口を第１の貫通孔と整列させると、クランプ装置を第１の脚部に沿って摺動させて可撓性部材のループ部分のサイズを調節することができ、
キャップとインサートとは少なくとも一部がカバー部材内に受容されている調節自在の宝飾組立体。
【請求項２】
キャップ及びインサートは、卑金属、半貴金属及び貴金属材料のうち少なくとも１つにより構成されている請求項１の調節自在の宝飾組立体。
【請求項３】
カバー部材には第１の開口がさらに形成され、第１の脚部はカバー部材の第１の開口を貫通する請求項１の調節自在の宝飾組立体。
【請求項４】
細長い可撓性部材は第２の脚部を有し、ループ部分は第２の脚部から延びて第１と第２の脚部の間に位置し、さらに、インサートは第２の開口を備えており、キャップは第２の貫通孔と整列される第２の開口を備えており、第２の脚部は第２の開口及び第２の貫通孔を貫通し、第２の開口及び第２の貫通孔が偏倚部材の偏倚力の作用下で不整列になると、クランプ装置が細長い可撓性部材の第２の脚部に関して相対移動ができず、キャップとインサートとを偏倚力に抗して互いに移動させて第２の開口を第２の貫通孔と整列させると、クランプ装置を第２の脚部に沿って摺動させて可撓性部材のループ部分のサイズを調節できるようになっている請求項１の調節自在の宝飾組立体。
【請求項５】
インサートの外側表面と第１及び第２の貫通孔のうちの一方との間を延びる第１のスロットと、
キャップの外側表面と前記一方の貫通孔に対応する第１及び第２の開口のうちの一方との間を延びる第２のスロットとをさらに備え、
第１及び第２のスロットは、キャップとインサートとを偏倚力に抗して互いに移動させて第２のスロットを第１のスロットと整列させ前記一方の脚部をクランプ装置に着脱できるようにする際、細長い可撓性部材の第１及び第２の脚部のうちの一方を受容する大きさである請求項４の調節自在の宝飾組立体。
【請求項６】
可撓性部材の第１の脚部に固着された第１の端止めと、
可撓性部材の第２の脚部に固着された第２の端止めとをさらに備え、
第１及び第２の端止めはそれぞれ第１及び第２の開口よりも大きいため、通常は第１及び第２の脚部をクランプ装置から第１及び第２の開口を介して取り外すことができない請求項５の調節自在の宝飾組立体。
【請求項７】
装飾部材上にあって細長い可撓性部材を受容する取り付け用開口をさらに備え、取り付け用開口は前記一方の脚部に連携する少なくとも１つの端止めより大きいため、その一方の脚部をクランプ部材から取り外すと装飾部材を細長い可撓性部材から取り外すことができる請求項６の調節自在の宝飾組立体。
【請求項８】
インサートの外側表面と第１の貫通孔との間を延びる第１のスロットと、
キャップの外側表面と第１の開口との間を延びる第２のスロットとをさらに備え、
第１及び第２のスロットは、キャップとインサートとを偏倚力に抗して互いに移動させて第２のスロットを第１のスロットと整列させ第１の脚部をクランプ装置に着脱できるようにする際、細長い可撓性部材の第１の脚部を受容する大きさである請求項１の調節自在の宝飾組立体。
【請求項９】
可撓性部材の第１の脚部に固着された第１の端止めをさらに備え、第１の端止めは第１の開口よりも大きいため、通常は第１の脚部をクランプ装置から第１の開口を介して取り外すことができない請求項８の調節自在の宝飾組立体。
【請求項１０】
装飾部材上にあって細長い可撓性部材を受容する取り付け用開口をさらに備え、取り付け用開口は第１の端止めより大きいため、第１の脚部をクランプ部材から取り外すと装飾部材を細長い可撓性部材から取り外すことができる請求項９の調節自在の宝飾組立体。
【請求項１１】
（ａ）両端部と第１の貫通孔とを有するインサートと、
（ｂ）インサートの一方の端部の上に摺動自在に配置され、第１の貫通孔と整列させる第１の開口を有する第１のキャップと、
（ｃ）第１のキャップとインサートの一方の端部との間に位置する第１の偏倚部材とより成るクランプ装置、
第１の開口と第１の貫通孔とを貫通する第１の細長い可撓性要素であって、第１の開口と第１の貫通孔とが偏倚部材の偏倚力により不整列になると、クランプ装置と第１の可撓性要素とが相対移動できず、キャップとインサートとを偏倚力に抗して互いに移動させて第１の開口を第１の貫通孔と整列させると、クランプ装置が第１の可撓性要素に沿って摺動するようになっている第１の細長い可撓性要素、及び
可撓性部材のループ部分の上に摺動自在に取り付けられた装飾部材、及び
キャップ及びインサートの少なくとも一部を受容する円筒状カバー部材より成る調節自在の宝飾組立体。
【請求項１２】
第１の貫通孔から離隔したインサートの第２の貫通孔と、
インサートの他方の端部上に摺動自在に配置され、第２の貫通孔と整列させる第２の開口を有する第２のキャップと、
第２のキャップとインサートの他方の端部との間に位置する第２の偏倚部材と、
第２の開口及び第２の貫通孔を貫通する第２の細長い可撓性要素とをさらに備え、
第２の開口及び第２の貫通孔が偏倚部材の偏倚力により不整列になると、クランプ装置と第２の可撓性要素とが相対移動できず、第２のキャップとインサートとを偏倚力に抗して互いに移動させて第２の開口を第２の貫通孔と整列させると、クランプ装置が第２の可撓性要素に沿って摺動するようになっている請求項１１の調節自在の宝飾組立体。
【請求項１３】
カバー部材には第１及び第２の開口が形成され、第１の可撓性要素はカバー部材の第１の開口を貫通し、第２の可撓性部材はカバー部材の第２の開口を貫通する請求項１２の調節自在の宝飾組立体。
【請求項１４】
カバー部材には第１の開口が形成され、第１の可撓性要素はカバー部材の第１の開口を貫通する請求項１１の調節自在の宝飾組立体。
【請求項１５】
第１のキャップ、インサート及びカバー部材は円筒状である請求項１１の調節自在の宝飾組立体。
【請求項１６】
（ａ）両端部と、第１及び第２の離隔した貫通孔とを有するインサートと、
（ｂ）インサートの一方の端部の上に摺動自在に配置され、第１及び第２の貫通孔とそれぞれ整列させる第１及び第２の離隔した開口を有するキャップと、
（ｃ）キャップとインサートの一方の端部との間に位置する偏倚部材とより成るクランプ装置、
第１の開口と第１の貫通孔とを貫通する第１の細長い可撓性要素、
第２の開口と第２の貫通孔とを貫通する第２の細長い可撓性要素より成り、
第１及び第２の開口がそれぞれ第１及び第２の貫通孔と偏倚部材の偏倚力により不整列になると、クランプ装置と第１の可撓性要素とが相対移動できず、キャップとインサートとを偏倚力に抗して互いに移動させて第１及び第２の開口をそれぞれ第１及び第２の貫通孔と整列させると、クランプ装置が第１及び第２の可撓性要素に沿って摺動するようになっている調節自在の宝飾組立体。
【請求項１７】
インサートの外側表面と第１及び第２の貫通孔のうちの一方との間を延びる第１のスロットと、
キャップの外側表面と前記一方の貫通孔に対応する第１及び第２の開口のうちの一方との間を延びる第２のスロットとをさらに備え、
第１及び第２のスロットは、キャップとインサートとを偏倚力に抗して互いに移動させて第２のスロットを第１のスロットと整列させ第１及び第２の可撓性要素のうちの一方をクランプ装置に着脱できるようにする際、前記一方の可撓性要素を受容する大きさである請求項１６の調節自在の宝飾組立体。
【請求項１８】
第１及び第２の可撓性要素よりなる細長い可撓性部材と、それらの間を延びる細長い可撓性ループ部分とより成る細長い可撓性部材をさらに備えた請求項１７の調節自在の宝飾組立体。
【請求項１９】
第１の可撓性要素の自由端部に固着された第１の端止めと、
第２の可撓性要素の自由端部に固着された第２の端止めとをさらに備え、
第１及び第２の端止めはそれぞれ第１及び第２の開口よりも大きいため、通常は第１及び第２の可撓性要素を前記開口を介してクランプ装置から取り外すことができない請求項１８の調節自在の宝飾組立体。
【請求項２０】
細長い可撓性部材上に摺動自在に受容される装飾部材をさらに備えた請求項１９の調節自在の宝飾組立体。
【請求項２１】
装飾部材上にあって細長い可撓性要素を受容する取り付け用開口をさらに備え、取り付け用開口は前記一方の可撓性要素に連携する第１の端止めより大きいため、第１の可撓性要素をクランプ部材から取り外すと装飾部材を細長い可撓性部材から取り外すことができる請求項２０の調節自在の宝飾組立体。
【請求項２２】
貫通孔がインサートに沿って縦方向に離隔している請求項１７の調節自在の宝飾組立体。
【請求項２３】
クランプ装置、及び
第１の脚部と、第２の脚部と、第１と第２の脚部間を延びるループ部分とを有する細長い可撓性部材より成り、
クランプ装置は、
（ａ）両端部、端部間を延びる貫通孔及び一方の端部からほぼ外方に延びる少なくとも１つのタブを有するインサートと、
（ｂ）インサートの一方の端部の上に摺動自在に配置され、端壁、端壁から延びる連続側壁、インサートの貫通孔と整列させるために端壁に形成された開口及び端壁の外縁部からほぼ内方に延びるタブを有するキャップと、
（ｃ）キャップとインサートの一方の端部との間に位置する偏倚部材とより成り、
第１及び第２の脚部はキャップの開口及びインサートの貫通孔を貫通し、その開口と貫通孔とが偏倚部材の偏倚力により不整列になると、クランプ装置と細長い可撓性部材の脚部とが相対移動できず、キャップとインサートとを偏倚力に抗して互いに移動させて少なくとも１つの開口を少なくとも１つの貫通孔と整列させると、クランプ装置を脚部に沿って摺動させて可撓性部材のループ部分のサイズを調節することができ、
細長い可撓性部材が存在しないと、インサートの少なくとも１つのタブは偏倚部材の偏倚力の作用下でキャップの少なくとも１つのタブと当接するためインサートとキャップとを分離できない調節自在の宝飾組立体。
【請求項２４】
キャップの少なくとも１つのタブはほぼ鉤形である請求項２３の調節自在の宝飾組立体。
【請求項２５】
インサートの少なくとも１つのタブはほぼ逆の鉤形である請求項２４の調節自在の宝飾組立体。
【発明の詳細な説明】
【背景技術】
【０００１】
【技術分野】
【０００２】
本発明は、一般的に、宝飾品に関し、さらに詳細には、着用者のボデイサイズ、衣服の種類及びファッション嗜好に合うように宝飾品の垂れ下がり長さを所望の値に調整するためのクランプ装置と、該クランプ装置により調節自在に保持されたネックレス、ブレスレット、アンクレット等のような宝飾品とより成る宝飾組立体に関する。
【関連技術の説明】
【０００３】
長年の間、人はその時代の流行ファッションに応じた種々の長さのネックレスを着用してきた。ある時代における普通の長さは、約１５インチの首にぴったり巻きつく短いものであった。別の時代における普通の長さは、１８インチかそれより長いものであった。流行の長さは何十年にわたり移り変わっている。
【０００４】
一般的に、ネックレスは、金、銀またはプラチナのような１またはそれ以上の貴金属で作られた一定長さの可撓性の鎖より成り、これらの鎖は多種多様なデザインのものを手に入れることができる。可撓性の鎖は通常、多種多様なペンダントにより引き立てられるが、これらのペンダントは一般的に、貴金属の台に取り付けられたダイアモンド、ルビー、サファイアなどの１またはそれ以上の宝石より成る。現在、高級宝飾品の購入者は、所望のスタイル及びサイズのペンダントを選択し、それを、通常は１５、１８、２４または３０インチの一定長さを有する可撓性の鎖に取り付けてもらっている。長年の後、流行のファッションが変化すれば、そのペンダントを異なる長さの鎖に取り付けてもらうことは可能である。しかしながら、その場合、新しい鎖を購入するだけでなく、専門の細工師にペンダントを古い鎖からはずしてその新しい鎖に取り付けてもらわなければならない。かくして、ペンダントを新しい鎖に取り付けるのは面倒で、時間と費用がかかる。
【０００５】
体型及びボデイサイズは多種多様であるため、一定長さのネックレスの鎖は人により垂れ下がり方が異なるものである。例えば、１８インチのネックレスの鎖は、平均サイズの人にとって流行の垂れ下がり長さであっても、それに比べて大きい人または小さい人が着用すると同じ流行の垂れ下がり長さを得ることができない。そのような人は、ネックレス及び他の宝飾品を適当な流行の長さで着用することができない場合もある。
【０００６】
さらに、衣服のスタイル及び種類がネックレスの外観を損ない、ネックレスの垂れ下がり方に悪い影響を与えることがある。例えば、垂れ下がり長さが衣服のネックラインとほぼ同じであるペンダントは、その衣服に隠れてしまうことが多い。同様に、薄めの衣服の上に着用した場合は流行の長さで垂れ下がるペンダントは、比較的かさばった衣服の上に着用すると同じ流行の垂れ下がり長さが得られない。
【０００７】
ネックレスの鎖の多くは、首の周りでの着脱を可能にするために鎖の両端部を連結または分離する留め金を備えている。かかる留め金は比較的小さいため、操作が比較的困難である。
【０００８】
着用者の特定サイズ及び衣服のスタイルに比較的迅速且つ容易に合わせるためにネックレス及び／またはペンダントのような宝飾品の垂れ下がり長さを調節するための調節自在の宝飾組立体を提供することが望ましい。かかる装置によると、着用者はネックレスの鎖の長さを正確に調節して、着用者の特定サイズ及び衣服のスタイルに拘らずペンダントまたは他の装飾品が最も適当で引き立つ位置に垂れ下がるようにすることができる。
【０００９】
着用者が異なる長さの新しい鎖を購入してペンダントを新しい鎖に取り付けてもらわなくても、流行の長さに広い範囲で調節自在の宝飾組立体を提供することも望ましい。
【発明の概要】
【００１０】
本発明は、ネックレスのような宝飾品の長さを、着用者の特定サイズ、衣服の種類及びファッション嗜好に容易に且つ適切に合うように、正確に調節できる調節自在のクランプ装置を提供する。当業者は、本発明はネックレスに限定されず、腰、手首及び足首のような通常着用する他の部分にも宝飾品を容易に使用できることがわかるであろう。
【００１１】
本発明の調節自在の宝飾組立体は、解放自在のクランプ装置と、クランプ装置に解放自在に固定される細長い可撓性部材とより成る。細長い可撓性部材はクランプ部材とループ部分を形成し、ループ部分のサイズを調節するためにクランプ装置を摺動することができる。クランプ装置は、両端部と、第１の貫通孔とを有するインサートと、インサートの少なくとも一方の端部に摺動自在に配置されるキャップと、キャップとインサートの該少なくとも一方の端部との間に位置する偏倚部材とを備えている。キャップは、第１の貫通孔と整列させる第１の開口を有する。細長い可撓性部材は、第１の脚部、第２の脚部及び第１と第２の脚部間のループ部分を有する。少なくとも第１の脚部は、第１の開口と第１の貫通孔とを貫通する。第１の開口及び第１の貫通孔は、偏倚部材の偏倚力の作用下で不整列になるため、クランプ装置と細長い可撓性部材の第１の脚部とは相対移動できない。キャップとインサートとを偏倚力に抗して互いに移動させて第１の開口を第１の貫通孔と整列させると、クランプ装置を第１の脚部に沿って摺動できるようになっている。
【００１２】
本発明の１つの特徴によると、装飾部材は可撓性部材のループ部分に摺動自在に取り付けられる。本発明の別の特徴によると、カバー部材がキャップ及びインサートの少なくとも一部を受容するように設けられる。カバー部材は、少なくとも第１の脚部を受容する１またはそれ以上の貫通孔を有する。
【００１３】
本発明の別の実施例によると、調節自在の宝飾組立体は、クランプ装置と、クランプ装置に解放自在に固定される細長い可撓性部材とより成る。クランプ装置は、両端部と、第１及び第２の離隔した貫通孔とを有するインサートと、インサートの一方の端部の上に摺動自在に配置されるキャップと、キャップとインサートの一方の端部との間に位置する偏倚部材とより成る。キャップは、第１及び第２の貫通孔とそれぞれ整列させる第１及び第２の離隔した開口を有する。第１の細長い可撓性要素は、第１の開口と第１の貫通孔とを貫通し、第２の細長い可撓性要素は、第２の開口と第２の貫通孔とを貫通する。第１及び第２の開口がそれぞれ第１及び第２の貫通孔と偏倚部材の偏倚力により不整列になると、クランプ装置と第１の可撓性要素とが相対移動できない。キャップとインサートとを偏倚力に抗して互いに移動させて第１及び第２の開口をそれぞれ第１及び第２の貫通孔と整列させると、クランプ装置が第１及び第２の可撓性要素に沿って摺動するようになっている。
【００１４】
本発明のさらに別の実施例によると、調節自在の宝飾組立体は、クランプ装置と、クランプ装置に解放自在に固定される細長い可撓性部材とより成る。クランプ装置は、両端部、端部間を延びる貫通孔及び一方の端部からほぼ外方に延びる少なくとも１つのタブを有するインサートを有する。インサートの一方の端部の上にはキャップが摺動自在に配置されている。このキャップは、端壁、端壁から延びる連続側壁、インサートの貫通孔と整列させるために端壁に形成された開口及び端壁の外縁部からほぼ内方に延びるタブを有する。キャップとインサートの一方の端部との間には偏倚部材がある。細長い可撓性部材は、第１の脚部と、第２の脚部と、第１と第２の脚部間を延びるループ部分とを有する。第１及び第２の脚部は、キャップの開口及びインサートの貫通孔を貫通する。その開口と貫通孔とが偏倚部材の偏倚力により不整列になると、クランプ装置と細長い可撓性部材の脚部とが相対移動できない。キャップとインサートとを偏倚力に抗して互いに移動させて少なくとも１つの開口を少なくとも１つの貫通孔と整列させると、クランプ装置を脚部に沿って摺動させて可撓性部材のループ部分のサイズを調節するようになっている。細長い可撓性部材が存在しないと、インサートの少なくとも１つのタブは偏倚部材の偏倚力の作用下でキャップの少なくとも１つのタブと当接するためインサートとキャップとを分離できない。
【実施例】
【００１５】
添付図面、特に図１Ａ−１Ｆ及び図２を参照して、調節自在の宝飾組立体１０は、可撓性部材２０と、クランプ装置１００とより成る。可撓性部材２０は、金属、織物、細い紐、プラスチックまたはシリコーンのような任意適当な部材で形成可能であり、好ましくは、卑金属、半貴金属及び／または金、銀及びプラチナのような貴金属により当該分野でよく知られた方法により形成される。図示のように、可撓性部材２０は、クランプ装置１００の一方の側から延びるループ部分２１と、クランプ装置の反対側から延びる一対の脚部２２、２３とを有する。ループ部分２１は着用者の首の周りを延び、クランプ装置１００は首の背後にあり、脚部２２、２３はクランプ装置からほぼ下方に延びている。脚部２２は第１の自由端部で終端するが、その端部には第１の端止め２４が半田付けのような当該分野でよく知られた方法により固着されている。脚部２３は第２の自由端部で終端するが、その端部には第２の端止め２５が同様な方法で固着されている。第１及び第２の端止め２４、２５は、多種多様な装飾的形状にすることが可能であり、またダイアモンド、ルビー及びサファイアのような宝石にしてもよい。あるいは、可撓性部材２０を、ひとつの連続する長さの材料で形成してもよく、その場合、それ自身がループを形成するため第１または第２の自由端部がない。従って、この変形例には、第１の端止め２４及び第２の端止め２５がない。
【００１６】
ダイアモンド、ルビー、サファイアなどのような１またはそれ以上の宝石より成るペンダントでよい装飾部材３０は、可撓性部材２０のループ部分２１に取り付けることができる。この装飾部材３０は、ループ部分２１の長さ方向に自由に摺動できるように当該分野でよく知られた方法により可撓性部材２０に取り付けるのが好ましい。あるいは、装飾部材３０をループ部分２１に、よく知られた態様で固定連結してもよい。
【００１７】
図２に示すように、可撓性部材２０の脚部２２、２３は、クランプ装置１００の第１の通路１０２及び第２の通路１０３をそれぞれ貫通する。クランプ装置の一部を図２の矢印で示すように互いに近づく方向に押圧すると、クランプ装置は脚部２２、２３の長さ方向に自由に摺動できるため、ループ部分２１のサイズを着用者に合わせて調節することが可能である。クランプ装置１００の構成及びその作用を、以下に詳説する。
【００１８】
ループ部分２１が比較的短くなるようにクランプ装置１００を調節する際、装飾部材３０があれば、図１Ａ、１Ｂに示すように、その部材は着用者の首の前の比較的高い所に垂れ下がり、脚部２２及び２３は比較的長くなる。
【００１９】
ループ部分２１が中位の長さになるようにクランプ装置１００を調節する場合、装飾部材３０があれば、図１Ｃ及び１Ｄに示すように、その部材は着用者の首または胸の上の比較的低い位置まで垂れ下がり、脚部２２、２３は中位の長さになる。
【００２０】
ループ部分２１が比較的長くなるようにクランプ装置１００を調節する場合、装飾部材３０があれば、図１Ｅ及び１Ｆに示すように、その部材は着用者の首または胸の上の比較的低い位置に垂れ下がり、脚部２２、２３は比較的短くなる。
【００２１】
クランプ装置１００は第１の脚部２２及び第２の脚部２３に沿う任意所望の位置に位置決め可能であるため、可撓性部材２０のループ部分２１を任意所望の大きさに調節して、着用者の相対的サイズ、衣服のスタイル及び流行の嗜好に拘らず任意所望の長さにすることができる。
【００２２】
図３乃至６を参照して、クランプ装置１００は、第１の端部１１２及び第２の端部１１３を有するインサート１１０を備えている。第１のキャップ１２０は端壁１１５と、その端壁から延びる連続側壁１１７とを有する。第１のキャップ１２０は、そのキャップ内に嵌合しインサート１１０の第１の端部１１２と第１のキャップの端壁１１５との間を延びる第１の偏倚部材１４２により、第１の端部１１２から離れる方向に偏倚されている。同様に、第２のキャップ１３０は、端壁１１８と、その端壁１１８から延びる連続側壁１１９とを有する。第２のキャップ１３０は、そのキャップ内に嵌合しインサート１１０の第２の端部１１３と第２のキャップの端壁１１８との間を延びる第２の偏倚部材１５２により、第２の端部１１３から離れる方向に偏倚されている。図６に示すように、第１のキャップ１２０は、側壁１１７をほぼ半径方向に貫通する一対の整列開口１０２ａ、１０２ｃを有する。第１のキャップ１２０の開口１０２ａ及び１０２ｃは、可撓性部材２０の脚部２２を受容する大きさである。同様に、第２のキャップ１０３は、側壁１１９をほぼ半径方向に貫通する一対の整列開口１０３ａ、１０３ｃを有する。開口１０３ａ及び１０３ｃは、可撓性部材２０の脚部２３を受容する大きさである。
【００２３】
インサート１１０は第１の孔部１０２ｂ及び第２の孔部１０３ｂを備えるのが好ましく、これらの孔部は可撓性部材２０の脚部２２及び２３をそれぞれ受容する大きさである。第１のキャップ１２０の内径はインサート１１０の第１の端部１１２を摺動自在に受容する大きさであり、第２のキャップ１３０の内径はインサートの第２の端部１１３を挿入自在に受容する大きさである。第１及び第２の偏倚部材１４０、１５０はそれぞれ、第１のキャップ１２０及び第２のキャップ１３０の内部に受容される大きさである。第１及び第２の偏倚部材は圧縮バネであるのが好ましい。あるいは、以下に詳説するように、偏倚部材としては、クランプ装置１００と第１の脚部２２及び第２の脚部２３との間の相対移動を阻止するに十分な力を加える限り、板バネ、エラストマーのインサートまたは他の偏倚手段を用いることもできる。
【００２４】
クランプ装置１００を組み立てるには、第１の偏倚部材１４０を第１のキャップ１２０の内部に配置する。その後、第１のキャップを、インサート１１０の第１の端部１１２にかぶせて、第１の偏倚部材１４０の偏倚力に抗してインサートに沿って摺動させ、開口１０２ａと１０２ｃとがインサート１１０の第１の孔部１０２ｂに整列するようにする。その後、第１の端止め２４を固着していない可撓性部材２０の脚部２２を、開口１０２ａ、１０２ｃを第１の孔部１０２ｂに整列させることにより形成される通路１０２に通す。
【００２５】
所望であれば、その後、第２の脚部２３を装飾部材（図１を参照）の開口または他の取り付け手段（図示せず）を通して摺動させることにより、その装飾部材３０を可撓性部材２０に取り付ける。次いで、第２の偏倚部材１５０を第２のキャップ１３０の内部に配置し、第２のキャップを、インサート１１０の第２の端部１１３にかぶせて、第２の偏倚部材１５０の偏倚力に抗してインサートに沿って摺動させ、開口１０３ａ、１０３ｃがインサート１１０の第２の孔部１０３ｂに整列するようにする。その後、第２の端止め２５を装着していない可撓性部材２０の第２の脚部２３を、開口１０３ａ、１０３ｃを第２の孔部１０３ｂに整列させることにより形成される通路１０３に通す。次いで、半田付けのような適当な固着方法により、第１の端止め２４を第１の脚部２２の第１の自由端部に固着し、第２の端止め２５を第２の脚部２３の第２の自由端部に固着する。好ましくは、第１及び第２の端止め２４、２５は通路１０２、１０３の直径よりも断面寸法が大きいため、調節自在の宝飾組立体１０はばらばらにならない。
【００２６】
クランプ装置１００を取り付けると、第１及び第２の偏倚部材１４０、１５０により第１及び第２の脚部２２、２３にそれぞれ印加されるせん断力が、クランプ装置１００と第１の脚部２２及び第２の脚部２３との間の相対運動を阻止する。詳述すると、第１の偏倚部材１４０は、第１のキャップ１２０をインサート１１０の第１の端部１１２から離れる方向に押圧して第１の孔部１０２ｂと開口１０２ａ、１０２ｃとが不整列になるようにする傾向がある。この不整列な関係により、開口１０２ａおよび１０２ｃの所の第１の脚部２２にせん断力が生じる。同様に、第２の偏倚部材１５０は、第２の孔部１０３ｂと開口１０３ａ及び１０３ｃとを不整列にして第２の脚部２３にせん断力を印加する。第１及び第２の脚部２２、２３に印加されるせん断力により、クランプ装置１００が普通の休止状態にある時、脚部２２、２３はそれぞれの通路１０２、１０３内に堅く固定された状態に保たれる。
【００２７】
図２の矢印に示すように、第１及び第２のキャップ１２０、１３０を互いに近づく方向に押圧して第１及び第２の偏倚部材１４０、１５０を圧縮すると、クランプ装置１００は第１及び第２の脚部２２、２３の長さ方向に自由に摺動させることが容易である。外部から加えるこれらの圧縮力は、第１の孔部１０２ｂと開口１０２ａ及び１０３ｃとの間の不整列だけでなく第２の孔部１０３ｄと開口１０３ａ及び１０３ｃとの間の不整列を減少するため、脚部２２、２３に印加されるせん断力が減少する。せん断力が減少すると、クランプ装置１００と脚部２２、２３との間の相対的な摺動が可能となり、可撓性部材２０のループ部分２１のサイズを調節することができる。その後、第１のキャップ１２０及び第２のキャップ１３０に印加した外部圧縮力を取り去るだけでクランプ装置１００はその普通のクランプ状態に復帰するため、脚部２２、２３はクランプ装置１００によりクランプされ移動できない。
【００２８】
図７、９を参照して、該図は本発明の第２の実施例によるクランプ装置２００を示す。前の実施例と同じ部分は同じ参照番号で表す。クランプ装置２００は、キャップ１２０、１３０にかぶせるカバー部材２０２及びインサート１１０を除きクランプ装置１００とほぼ同一である。
【００２９】
カバー部材２０２は円筒形であるのが好ましく、内径がキャップ１２０、１３０の外径よりもわずかに大きい中空の本体２０３を有する。第１の対の整列開口２０４ａ、２０４ｂ（図７において点線で示す）及び第２の対の整列開口２０６ａ、２０６ｂ（点線で示す）は、中空の本体２０３に形成されている。カバー部材２０２をキャップ１２０、１３０及びインサート１１０にかぶせた時、開口２０４ａ、２０４ｂはインサート１１０の孔部１０３ｂと整列し、開口２０６ａ、２０６ｂはインサート１１０の孔部１０２ｂと整列するのが好ましい。
【００３０】
図８に示すように、キャップ１２０、１３０を完全に押し込めると、カバー部材２０２は、これらのキャップのそれぞれの端壁１１５及び１１８と同一平面となるように十分な長さを有することが好ましい。図９に示すように、クランプ装置１００が普通の休止状態にある時、カバー部材２０２はインサート１１０及びキャップ１２０、１３０の一部を覆うに十分な長さを有することが好ましい。カバー部材２０２は、その上に彫り込むか他の方法により形成した１またはそれ以上のデザイン及び／または１またはそれ以上の宝石または他の装飾を有することができる。
【００３１】
図１０−１３を参照して、該図は本発明の第３の実施例によるクランプ装置２１０を示す。これらの図において、前の実施例と同じ部分は同一の参照番号で表す。クランプ装置２１０は、外側ハウジングまたはキャップ２１２と、外側ハウジング２１２に往復運動自在に受容されるプランジャーまたはインサート２１４と、常態ではプランジャー２１４をハウジングから外方に偏倚するように外側ハウジング内に受容される偏倚部材２１６とを有する。
【００３２】
ハウジング２１２は、端壁２１７と、その端壁２１７から延びる連続側壁２１８とを有する。第１の対の整列開口２２０ａ、２２０ｂ（図１０に点線で示す）は、側壁２１８をほぼ半径方向に貫通する。第１の対の開口２２０ａ、２２０ｂは、可撓性部材２０の脚部２２を受容する大きさである。第２の対の整列開口２２２ａ、２２２ｂは、側壁２１８をほぼ半径方向に貫通し、第１の対の整列開口２２０ａ、２２０ｂと離隔している。第２の対の開口２２２ａ、２２２ｂは、可撓性部材２０の脚部２３を受容する大きさである。側壁２１８に形成されたスロット２２４は、第２の対の開口２２２ａと２２２ｂとの間を延びる。このスロットは、以下に詳説するように、可撓性部材２０をクランプ装置２１０に組み込む時に可撓性部材２０の脚部２３を受容するに十分な幅を持つのが好ましい。
【００３３】
プランジャー２１４は、互いに反対の端壁２２７、２２９を有する中実の棒状体またはバー２２６で形成するのが好ましい。このバー２２６には、第１の孔部２２８と第２の孔部２３０とが形成され、このバーをほぼ半径方向に貫通する。第１の孔部と第２の孔部との間の距離は、ハウジング２１２の第１及び第２の対の開口間の距離にほぼ等しい。第１の孔部２２８は可撓性部材２０の脚部２２を受容する大きさであり、第２の孔部は可撓性部材の脚部２３を受容する大きさである。このバー２２６には、スロット２３２がバーの外側表面から第２の孔部２３０へ延びるように形成されている。後で詳述するように、このスロットは可撓性部材２０をクランプ装置２１０に組み込む時に脚部２３を受容するに十分な幅を持つことが好ましい。
【００３４】
プランジャー２１４は、常態では、ハウジングの端壁２１７とプランジャー２１４の端部２２７との間のハウジング２１２の内部に嵌合する偏倚部材２１６により、ハウジング２１２の端壁２１７から離れる方向に偏倚されている。
【００３５】
可撓性部材をクランプ装置２１０に組み込むにあたり、偏倚部材２１６をハウジング２１２の内部に配置する。その後、プランジャー２１４を、ハウジング２１２に挿入し、偏倚部材２１６の偏倚力に抗してハウジングに沿って摺動させて、開口２２０ａ、２２０ｂがプランジャー２１４の第１の孔部２１８と整列し、開口２２２ａ、２２２ｂがプランジャーの第２の孔部２３０と整列するようにする。第１の端止め２４を固着していない可撓性部材２０の脚部２２を、開口２２０ａ、第１の孔部２２８及び開口２２０ｂに通す。その後、半田付けのような適当な固着方法により、第１の端止め２４を第１の脚部２２の自由端部に固着し、第２の端止め２５を第２の脚部２３の第２の自由端部に固着すればよい。
【００３６】
図１１に示すように、第１及び第２の端止め２４、２５の断面寸法Ｂは、好ましくは、ハウジングの開口及びプランジャーの孔部の断面寸法Ａよりも大きいため、クランプ装置２１０がその普通の休止またはクランプ位置にあれば、調節自在の宝飾組立体１０は分解を阻止される。所望に応じて、第２の脚部２３を開口２３４または装飾部材３０（図１１）の他の取り付け手段を介して摺動させることにより、装飾部材３０を可撓性部材２０に取り付けたり取り外したりできるようにするのが好ましい。開口２３４の断面寸法Ｃは、好ましくは、端止め２４、２５の断面寸法Ｂよりも大きいため、装飾部材３０を可撓性部材２０から取り外し、別の装飾部材をその可撓性部材に摺動自在に取り付けることができる。
【００３７】
さらに図１２及び１３を参照して、装飾部材３０を可撓性部材２０に取り付けるか取り外した状態でも、図示のようにプランジャーの端部２２９とハウジング２１２の端壁２１７とを互いに近づく方向にスロット及び開口が整列するまで押圧すると、プランジャーをハウジング内に引っ込めることができる。その後、脚部２３を、整列開口２２２ａ、２２２ｂ及び孔部２３０に、整列したスロット２２４、２３２を介して挿入することができる。プランジャー２１４を解放すると、偏倚部材２１６によりプランジャーがハウジング２１２の外方に移動し、第１の孔部２２８と第１の対の開口２２０ａ、２２０ｂ及び第２の孔部２３０と第２の対の開口２２２ａ、２２２ｂとを不整列にする。この不整列により、開口２２０ａ、２２０ｂの所の脚部２２に、また、開口２２０ａ、２２０ｂの所の脚部２３に、せん断力が発生する。第１及び第２の脚部２２、２３に印加されるこのせん断力は、これらの脚部をクランプ装置２１０に関してしっかりと固定した状態に保持する。図１３に示すように、プランジャー２１４のスロット２３２は、クランプ装置１０が休止位置にある時、可撓性部材の脚部２３が孔部２２８及び開口２２２ａ、２２２ｂから出ないようにハウジング２１２のスロット２１４から十分にオフセットしている。
【００３８】
この構成によると、スロット２２４、２３２が整列するまでプランジャー２１４をハウジング２１２に押し込めばクランプ装置２１０から脚部２３を取り出せるため、装飾部材３０を取り外して別の装飾部材を交換することができる。その後、脚部２３及び端止め２５を装飾部材の開口２３４を介して摺動させれば、装飾部材３０を取り外せる。そして、これと同じ操作を逆にすることにより、異なる装飾部材を可撓性部材２０上に取り付けることができる。端止め２４、２５の断面寸法はハウジング２１２の開口２２０ａ、２２０ｂ及びプランジャー２１４の孔部２２８の断面寸法より大きいため、可撓性部材はクランプ装置２１０に永続的に連結された状態にある。
【００３９】
クランプ装置２１０は、１つの装飾部材を別のものと交換できるだけでなく、プランジャー２１４をハウジング２１２に押し込んで偏倚部材２１６を圧縮すれば、第１及び第２の脚部２２、２３の長さ方向に自由に摺動することが容易である。この外部からの圧縮力は、第１の孔部２２８と開口２２０ａ、２２０ｂとの間の不整列と共に第２の孔部２０３と開口２２２ａ、２２２ｂとの間の不整列を減少させるため、脚部２２、２３に印加されるせん断力が減少する。せん断力が減少すると、クランプ装置２１０と脚部２２、２３との間の相対的な摺動が可能になるため、可撓性部材２０のループ部分２１のサイズを調節することができる。その後、ハウジング２１２及びプランジャー２１４に印加される外部の圧縮力を取り去るだけでクランプ装置２１０を解放して、脚部２２及び２３をクランプ装置２１０に関して相対的に摺動しないように固定することができる。
【００４０】
図示しないが、クランプ装置２１０は、ハウジング２１０及びプランジャー２１４の一部を覆うように延びるカバー部材を有する。このカバー部材は、可撓性部材２０を受容するスロット及び整列開口を有する。開口の断面寸法が端止め２４、２５の断面寸法より大きい場合は、スロットをなくしてもよい。
【００４１】
図１４−１７を参照して、該図は本発明の第４の実施例によるクランプ装置２５０を示す。前の実施例と同じ部分を同じ参照番号で表す。クランプ装置２５０は、外側ハウジングまたはキャップ２５２、外側ハウジング２５２に往復運動自在に受容されるプランジャーまたはインサート２５４、外側ハウジング内に受容され常態でプランジャー２５４をハウジングから外方に偏倚する偏倚部材２５６を有する。
【００４２】
ハウジング２５２は、端壁２５７と、この端壁２５７から延びる連続側壁２５８とを有する。整列開口２６０ａ、２６０ｂは、側壁２５８をほぼ半径方向に延びる。開口２６０ａ、２６０ｂは、可撓性部材２０の両方の脚部２２、２３を受容する大きさである。一対のタブ２６２、２６４が側壁２５８の内側表面２６６に形成され、ハウジング２５２の下方端縁部２６８からほぼ上方に延びる。各タブはほぼ鉤形であり、端縁部から上方及び外方に延びる第１の表面２７０と、第１の表面と鋭角を形成する第２の表面２７２とを有する。
【００４３】
プランジャー２５４は、端壁２８０と端壁２８０から延びる連続側壁２８２とを有する。一対の整列開口２８４ａ（図１７において点線で示す）及び２８４ｂは、側壁２８２をほぼ半径方向に貫通する。開口２８４ａ、２８４ｂは可撓性部材２０の両方の脚部２２、２３を受容する大きさである。一対のタブ２８６、２８８が側壁２８２の外側表面２９０に形成され、プランジャー２５４の上方端縁部３００からほぼ下方に延びる。各タブはほぼ逆の鉤形であり、端縁部３００から下方及び外方に延びる第１の表面３０２と、第１の３０２と鋭角を形成する第２の表面３０４とを有する。
【００４４】
クランプ装置２５０を組み立てる際、図１５を特に参照して、偏倚部材２５６をハウジング２５２の内部に配置する。その後、プランジャー２５４をハウジング２５２内に挿入して、偏倚部材２５６の偏倚力に抗してハウジングに沿って摺動させる。偏倚部材２５６は、好ましくは、ハウジング２５２の端壁２５７とプランジャー２５４の上方端縁部３００とに押圧されるため、偏倚部材２５６は、使用中、可撓性部材２０から離れている。プランジャーをハウジングに対してさらに移動させると、ハウジング２５２のタブ２６２、２６４がそれぞれプランジャーのタブ２８６、２８８と係合する。ハウジング及びプランジャーのタブは、プランジャーのタブがハウジングのタブを越えて摺動できるように押圧すると撓曲するように十分な可撓性を備えていることが好ましい。ハウジングのタブの表面２７０は、移動時に、プランジャーのタブ３０２と係合する。表面２７０及び３０２は、プランジャーがハウジングの端壁２５７の方へ摺動できるように、またハウジングのタブ及びプランジャーのタブの相互の撓曲を促進するように斜角になっている。プランジャーのタブがハウジングのタブを一旦通過すると、ハウジングのタブの斜角表面２７２が偏倚部材２５６の力の作用下にプランジャーの斜角表面３０４と係合するため、クランプ装置２５０の分解が阻止される。
【００４５】
図示しないが、ハウジング２５２とプラスチック２５４との相対的回転移動を阻止するための案内手段を設けることができる。さらに別に実施例において、ハウジングとプランジャーとを非円筒形にして相対的な回転が生じないようにしてもよい。さらに別の実施例において、タブをハウジング及びプランジャーの周りに円周方向に延びるようにすると、ハウジングとプランジャーとが相対的に回転してもプランジャーのタブとハウジングのタブとの間の係合関係が崩壊しない。
【００４６】
可撓性部材２０をクランプ装置２５０に取り付けるのが望ましい場合、ハウジング２５２とプランジャー２５４とを互いに近づく方向に押圧して、ハウジングの開口２６０ａ、２６０ｂがプランジャーの開口２８４ａ、２８４ｂと整列するようにする。その後、端止め２４、２５が取り付けられているかいないかに拘らず、可撓性部材２０の脚部２２、２３を開口２６０ａ、２８４ａ、２８４ｂ、２６０ｂに通す。次いで、プランジャーとハウジングとを解放関係して、上述したように、プランジャー及びハウジングの開口を不整列にし、可撓性部材２０がせん断力の作用下で保持されるようにする。それらの端部に端止めが予め取り付けられていない場合、この時点で取り付けることが可能である。ハウジングの開口を、クランプ装置２５０の可撓性部材２０に関する摺動は許容するが端止めが開口を通過できないように十分小さくすることができる。あるいは、端止めが通過できるように開口を十分大きくしてもよい。
【００４７】
本発明を特に上述の実施例に関連して説明したが、当業者は、本発明の思想及び範囲から逸脱することなく変形例及び設計変更を想到できることがわかるであろう。例えば、端部キャップ、インサート、カバー部材、ハウジング及びプランジャーを円筒形のものとして示したが、それらは任意所望の形に形成可能である。加えて、細長い可撓性部材の両方の脚部を種々のクランプ装置に関して摺動自在であるとして図示説明したが、一方の脚部をクランプ装置に固定し、他方の脚部をクランプ装置に関して摺動させてループ部分を調節できるようにすることができる。かくして、図示説明した実施例は全ての点において例示的であり限定的でないものと考えるべきである。従って、本発明の範囲は、上記説明でなくて頭書の特許請求の範囲により規定される。特許請求の範囲の文言及び均等物の範囲内にある全ての変形例及び設計変更は、それらの範囲内に包含されるべきである。
【図面の簡単な説明】
【００４８】
【図１Ａ】着用者の首の周りに配置され、相対的に短い長さに調節された本発明による調節自在の宝飾組立体の正面図である。
【図１Ｂ】着用者の首の周りに配置され、相対的に短い長さに調節された本発明による調節自在の宝飾組立体の裏面図である。
【図１Ｃ】着用者の首の周りに配置され、相対的に中位の長さに調節された本発明による調節自在の宝飾組立体の正面図である。
【図１Ｄ】着用者の首の周りに配置され、相対的に中位の長さに調節された本発明による調節自在の宝飾組立体の裏面図である。
【図１Ｅ】着用者の首の周りに配置され、相対的に長い長さに調節された本発明による調節自在の宝飾組立体の正面図である。
【図１Ｆ】着用者の首の周りに配置され、相対的に長い長さに調節された本発明による調節自在の宝飾組立体の裏面図である。
【図２】本発明による調節自在の宝飾組立体の斜視図である。
【図３】図２の調節自在の宝飾組立体の一部を形成する本発明のクランプ装置の展開斜視図である。
【図４】図２のクランプ装置の縦方向断面図である。
【図５】クランプ装置の平面図である。
【図６】図５の線６−６に沿うクランプ装置の断面図である。
【図７】本発明の第２の実施例によるクランプ装置の展開斜視図である。
【図８】図７のクランプ装置の縦方向断面図である。
【図９】第２の実施例のクランプ装置を備えた本発明の調節自在の宝飾組立体の斜視図である。
【図１０】本発明の第３の実施例による展開斜視図である。
【図１１】ある長さの宝飾品をクランプ装置に挿入する方法を説明するための図１０のクランプ装置の斜視図である。
【図１２】圧縮状態にある第３の実施例のクランプ装置の縦方向断面図である。
【図１３】解放またはクランプ状態にある第３の実施例のクランプ装置の縦方向断面図である。
【図１４】細長い宝飾品をクランプ装置に入れる方法を説明するための、本発明の第４の実施例によるクランプ装置の斜視図である。
【図１５】図１４の線１５−１５に沿う第４の実施例にクランプ装置の断面図である。
【図１６】図１４のクランプ装置の一部を形成する外側ハウジング部分の直径方向断面図である。
【図１７】図１４のクランプ装置の一部を形成する内側プランジャー部分の前立面図である。
【国際公開パンフレット】
2004520894.tif 000003
2004520894.tif 000004
2004520894.tif 000005
2004520894.tif 000006
2004520894.tif 000007
2004520894.tif 000008
2004520894.tif 000009
2004520894.tif 000010
2004520894.tif 000011
2004520894.tif 000012
2004520894.tif 000013
2004520894.tif 000014
2004520894.tif 000015
2004520894.tif 000016
2004520894.tif 000017
2004520894.tif 000018
2004520894.tif 000019
2004520894.tif 000020
2004520894.tif 000021
2004520894.tif 000022
2004520894.tif 000023
2004520894.tif 000024
2004520894.tif 000025
2004520894.tif 000026
2004520894.tif 000027
2004520894.tif 000028
2004520894.tif 000029
2004520894.tif 000030
2004520894.tif 000031
2004520894.tif 000032
2004520894.tif 000033
2004520894.tif 000034
2004520894.tif 000035
2004520894.tif 000036
2004520894.tif 000037
【手続補正書】
【提出日】平成15年9月16日(2003.9.16)
【手続補正１】
【補正対象書類名】特許請求の範囲
【補正対象項目名】全文
【補正方法】変更
【補正の内容】
【特許請求の範囲】
【請求項１】
クランプ装置、
第１及び第２の脚部と、第１及び第２の脚部間を延びるループ部分とを有する細長い可撓性部材、及び
可撓性部材のループ部分の上に摺動自在に取り付けられた装飾形状の本体を有する装飾部材より成り、
クランプ装置は、
（ａ）両端部と、端部間の貫通孔とを有するインサートと、
（ｂ）インサートの一方の端部の上に摺動自在に配置され、貫通孔と整列させる開口を有するキャップと、
（ｃ）キャップとインサートの一方の端部との間に位置する偏倚部材とより成り、
第１及び第２の脚部は開口と貫通孔とを同じ方向に貫通し、開口と貫通孔とが偏倚部材の偏倚力により不整列になると、クランプ装置と細長い可撓性部材の第１及び第２の脚部とが相対移動できず、キャップとインサートとを偏倚力に抗して互いに移動させて開口を貫通孔と整列させると、クランプ装置を第１及び第２の脚部に沿って摺動させて可撓性部材のループ部分のサイズを調節することができる調節自在の宝飾組立体。
【請求項２】
キャップ、インサート及び細長い可撓性部材は、卑金属、半貴金属及び貴金属材料のうち少なくとも１つにより構成されている請求項１の調節自在の宝飾組立体。
【請求項３】
クランプ装置、
第１の脚部と、第１の脚部から延びるループ部分とを有する細長い可撓性部材、
可撓性部材のループ部分の上に摺動自在に取り付けられた装飾部材、及び
カバー部材より成り、
クランプ装置は、
（ａ）両端部と第１の貫通孔とを有するインサートと、
（ｂ）インサートの少なくとも一方の端部の上に摺動自在に配置され、第１の貫通孔と整列させる第１の開口を有するキャップと、
（ｃ）キャップとインサートの少なくとも一方の端部との間に位置する偏倚部材とより成り、
第１の脚部は第１の開口と第１の貫通孔とを貫通し、第１の開口と第１の貫通孔とが偏倚部材の偏倚力により不整列になると、クランプ装置と細長い可撓性部材の第１の脚部とが相対移動できず、キャップとインサートとを偏倚力に抗して互いに移動させて第１の開口を第１の貫通孔と整列させると、クランプ装置を第１の脚部に沿って摺動させて可撓性部材のループ部分のサイズを調節することができ、
キャップとインサートとは少なくとも一部がカバー部材内に受容されている調節自在の宝飾組立体。
【請求項４】
カバー部材には第１の開口がさらに形成され、第１の脚部はカバー部材の第１の開口を貫通する請求項１の調節自在の宝飾組立体。
【請求項５】
クランプ装置、
第１の脚部と、第２の脚部と、第１及び第２の脚部間を延びるループ部分とを有する細長い可撓性部材、及び
可撓性部材のループ部分の上に摺動自在に取り付けられた装飾部材より成り、
クランプ装置は、
（ａ）両端部と第１の貫通孔とを有するインサートと、
（ｂ）インサートの少なくとも一方の端部の上に摺動自在に配置され、第１の貫通孔と整列させる第１の開口を有するキャップと、
（ｃ）キャップとインサートの少なくとも一方の端部との間に位置する偏倚部材とより成り、
第１の脚部は第１の開口と第１の貫通孔とを貫通し、第１の開口と第１の貫通孔とが偏倚部材の偏倚力により不整列になると、クランプ装置と細長い可撓性部材の第１の脚部とが相対移動できず、キャップとインサートとを偏倚力に抗して互いに移動させて第１の開口を第１の貫通孔と整列させると、クランプ装置を第１の脚部に沿って摺動させて可撓性部材のループ部分のサイズを調節することができ、
インサートはさらに第２の開口を有し、キャップはさらに第２の貫通孔と整列させる第２の開口を有し、第２の脚部は第２の開口及び第２の貫通孔を貫通し、第２の開口及び第２の貫通孔は偏倚部材の偏倚力の作用下で不整列になると、クランプ装置が細長い可撓性部材の第２の脚部に関して相対移動できず、キャップとインサートとを偏倚力に抗して互いに移動させて第２の開口を第２の貫通孔と整列させると、クランプ装置を第２の脚部に沿って摺動させて可撓性部材のループ部分のサイズを調節できるようになっている調節自在の宝飾組立体。
【請求項６】
インサートの外側表面と第１及び第２の貫通孔のうちの一方との間を延びる第１のスロットと、
キャップの外側表面と前記一方の貫通孔に対応する第１及び第２の開口のうちの一方との間を延びる第２のスロットとをさらに備え、
第１及び第２のスロットは、キャップとインサートとを偏倚力に抗して互いに移動させて第２のスロットを第１のスロットと整列させ前記一方の脚部をクランプ装置に着脱できるようにする際、細長い可撓性部材の第１及び第２の脚部のうちの一方を受容する大きさである請求項５の調節自在の宝飾組立体。
【請求項７】
可撓性部材の第１の脚部に固着された第１の端止めと、
可撓性部材の第２の脚部に固着された第２の端止めとをさらに備え、
第１及び第２の端止めはそれぞれ第１及び第２の開口よりも大きいため、通常は第１及び第２の脚部をクランプ装置から第１及び第２の開口を介して取り外すことができない請求項６の調節自在の宝飾組立体。
【請求項８】
装飾部材上にあって細長い可撓性部材を受容する取り付け用開口をさらに備え、取り付け用開口は前記一方の脚部に連携する少なくとも１つの端止めより大きいため、その一方の脚部をクランプ部材から取り外すと装飾部材を細長い可撓性部材から取り外すことができる請求項７の調節自在の宝飾組立体。
【請求項９】
第１及び第２の脚部は開口及び貫通孔をただ一度通る請求項１の調節自在の宝飾組立体。
【請求項１０】
細長い可撓性部材の第１及び第２の脚部にそれぞれ固着された第１及び第２の端止めをさらに備え、第１及び第２の端止めは開口よりも大きいため、通常は第１及び第２の脚部をクランプ装置から開口を介して取り外すことができない請求項１の調節自在の宝飾組立体。
【請求項１１】
宝飾組立体を着用者の体の一部の周りで調節する方法であって、
細長い可撓性部材と、
（ａ）両端部と、貫通孔とを有するインサート、
（ｂ）インサートの一方の端部の上に摺動自在に配置され、貫通孔と整列させる開口を有するキャップ、
（ｃ）キャップとインサートの一方の端部との間に位置する偏倚部材より成るクランプ装置とにより構成され、
細長い可撓性部材は第１及び第２の脚部と、両脚部間のループ部分とを有し、第１及び第２の脚部は開口と貫通孔とを同じ方向に貫通し、開口と貫通孔とが偏倚部材の偏倚力により不整列になると、クランプ装置と細長い可撓性部材の第１の脚部とが相対移動できない宝飾組立体を用意し、
（ｄ）着用者の体の一部を少なくとも部分的にループ部分により取り囲み、
（ｅ）偏倚力に抗してインサートとキャップとを互いに移動させて第１の開口を第１の貫通孔に整列させ、
（ｆ）クランプ装置と少なくとも第１の脚部とを互いに摺動させてループ部分のサイズを増減し、
（ｇ）インサートとキャップとを解放して偏倚力により開口が貫通孔に不整列になってクランプ装置と細長い可撓性部材とが相対移動できないようにすることにより、着用者の体の一部の周りのループ部分のサイズを調節するステップより成り、
ループ部分のサイズを調節することにより、細長い可撓性部材を体の一部に関して種々の長さで垂れ下がるようにできる宝飾組立体の調節方法。
【請求項１２】
ループ部分の上に、本体が装飾形状を有する装飾ペンダントと摺動自在に取り付けるステップをさらに含む請求項１１の宝飾組立体の調節方法。
【請求項１３】
ループ部分のサイズを調節して装飾ペンダントをループ部分の中間に配置した後にループ部分にそってその装飾ペンダントを摺動させるステップをさらに含む請求項１２の宝飾組立体の調節方法。
【請求項１４】
クランプ装置は、インサート及びキャップの少なくとも一部の上を延びるカバー部材を有し、カバー部材には第１の開口が形成され、可撓性部材の第１の脚部がカバー部材の第１の開口を貫通する請求項１１の宝飾組立体の調節方法。
【請求項１５】
キャップ、インサート及びカバー部材は円筒形である請求項１１の宝飾組立体の調節方法。
【請求項１６】
宝飾組立体を着用者の体の一部の周りで調節する方法であって、
細長い可撓性部材と、
（ａ）両端部と、第１及び第２の離隔した貫通孔とを有するインサート、
（ｂ）インサートの一方の端部の上に摺動自在に配置され、第１及び第２の貫通孔と整列させる第１及び第２の離隔した開口を有するキャップ、
（ｃ）キャップとインサートの一方の端部との間に位置する偏倚部材より成るクランプ装置とにより構成され、
細長い可撓性部材は第１の開口と第１の貫通孔とを貫通する第１の脚部と、第２の開口と第２の貫通孔とを貫通する第２の脚部と、第１及び第２の脚部間を延びる細長い可撓性のループ部分とを有し、第１及び第２の開口と第１及び第２の貫通孔とが偏倚部材の偏倚力によりそれぞれ不整列になると、クランプ装置と第１及び第２の脚部とが相対移動できない宝飾組立体を用意し、
（ｄ）着用者の体の一部を少なくとも部分的にループ部分により取り囲み、
（ｅ）偏倚力に抗してインサートとキャップとを互いに移動させて第１及び第２の開口をそれぞれ第１及び第２の貫通孔に整列させ、
（ｆ）クランプ装置と少なくとも第１及び第２の脚部に関して摺動させてループ部分のサイズを増減し、
（ｇ）インサートとキャップとを解放して偏倚力により開口が貫通孔に不整列になってクランプ装置と細長い可撓性部材とが相対移動できないようにすることにより、着用者の体の一部の周りのループ部分のサイズを調節するステップより成り、
ループ部分のサイズを調節することにより、細長い可撓性部材を体の一部に関して種々の長さで垂れ下がるようにできる宝飾組立体の調節方法。
【請求項１７】
クランプ装置を用意するステップは、インサートの外側表面と第１及び第２の貫通孔のうちの一方との間を延びる第１のスロットと、キャップの外側表面と前記一方の貫通孔に対応する第１及び第２の開口のうちの一方との間を延びる第２のスロットとであって、第１及び第２のスロットが、偏倚部材の偏倚力の作用下で不整列になると第１及び第２の脚部が一方の開口及び貫通孔から離脱できない第１及び第２のスロットを用意するステップを含み、
さらに、
キャップとインサートとを互いに移動させて第２のスロットを第１のスロットと整列させ、
そのスロットを介して前記一方の脚部を前記一方の貫通孔と開口とに着脱するステップを含む請求項１６の宝飾組立体の調節方法。
【請求項１８】
第１の可撓性要素の自由端部に固着された第１の端止めと、
第２の可撓性要素の自由端部に固着された第２の端止めとをさらに備え、
第１及び第２の端止めはそれぞれ第１及び第２の開口よりも大きいため、通常は第１及び第２の可撓性要素を前記開口を介してクランプ装置から取り外すことができない請求項１７の宝飾組立体の調節方法。
【請求項１９】
（ａ）両端部と、第１及び第２の離隔した貫通孔とを有するインサート、
（ｂ）インサートの一方の端部の上に摺動自在に配置され、第１及び第２の貫通孔と整列させる第１及び第２の離隔した開口を有するキャップ、
（ｃ）キャップとインサートの一方の端部との間に位置する偏倚部材より成るクランプ装置と、
第１の開口と第１の貫通孔とを貫通する第１の可撓性要素、第２の開口と第２の貫通孔とを貫通する第２の可撓性要素、及び第１及び第２の脚部間を延びる細長い可撓性のループ部分を有し、第１及び第２の開口と第１及び第２の貫通孔とが偏倚部材の偏倚力によりそれぞれ不整列になると、クランプ装置と第１及び第２の可撓性要素とが相対移動できず、キャップとインサートとを偏倚力に抗して互いに移動させて第１及び第２の開口を第１及び第２の貫通孔とそれぞれ整列させると、クランプ装置を第１及び第２の可撓性要素に沿って摺動させるようになっている細長い可撓性部材と、
する細長い可撓性部材と、
第１の可撓性要素の自由端部に固着された第１の端止めと、
第２の可撓性要素の自由端部に固着された第２の端止めと、
細長い可撓性部材の上に摺動自在に受容される装飾部材とより成り、
第１及び第２の端止めはそれぞれ第１及び第２の開口よりも大きいため、通常は第１及び第２の可撓性要素を前記開口を介してクランプ装置から取り外すことができない調節自在の宝飾組立体。
【請求項２０】
装飾部材上にあって細長い可撓性部材を受容する取り付け用開口をさらに備え、取り付け用開口は第１及び第２の端止めのうち少なくとも一方より大きいため、第１及び第２の可撓性要素のうち一方をクランプ部材から取り外すと装飾部材を細長い可撓性部材から取り外すことができる請求項１９の調節自在の宝飾組立体。
【請求項２１】
開口はインサートに沿って縦方向に離隔している請求項１６の調節自在の宝飾組立体。
【請求項２２】
クランプ装置、
第１の脚部と、第２の脚部と、第１と第２の脚部間にあるループ部分とを有する細長い可撓性部材、及び
細長い可撓性部材の上に摺動自在に受容される装飾部材より成り、
クランプ装置は、
（ａ）両端部、端部間を延びる貫通孔及び一方の端部からほぼ外方に延びる少なくとも１つのタブを有するインサートと、
（ｂ）インサートの一方の端部の上に摺動自在に配置され、端壁、端壁から延びる連続側壁、インサートの貫通孔と整列させるために端壁に形成された開口及び端壁の外縁部からほぼ内方に延びるタブを有するキャップと、
（ｃ）キャップとインサートの一方の端部との間に位置する偏倚部材とより成り、
第１及び第２の脚部はキャップの開口及びインサートの貫通孔を貫通し、その開口と貫通孔とが偏倚部材の偏倚力により不整列になると、クランプ装置と細長い可撓性部材の脚部とが相対移動できず、キャップとインサートとを偏倚力に抗して互いに移動させて少なくとも１つの開口を少なくとも１つの貫通孔と整列させると、クランプ装置を脚部に沿って摺動させて可撓性部材のループ部分のサイズを調節することができ、
細長い可撓性部材が存在しないと、インサートの少なくとも１つのタブは偏倚部材の偏倚力の作用下でキャップの少なくとも１つのタブと当接するためインサートとキャップとを分離できない調節自在の宝飾組立体。
【請求項２３】
キャップの少なくとも１つのタブはほぼ鉤形である請求項２２の調節自在の宝飾組立体。
【請求項２４】
インサートの少なくとも１つのタブはほぼ逆の鉤形である請求項２３の調節自在の宝飾組立体。
【請求項２５】
装飾ペンダントの本体は、少なくとも１つの宝石が取り付けられた台を有する請求項１の調節自在の宝飾組立体。
【請求項２６】
本体は、貴金属及び半貴金属のうち少なくとも１つの材料により構成されている請求項２５の調節自在の宝飾組立体。
【国際調査報告】
2004520894.tif 000038
2004520894.tif 000039